(57)【要約】【課題】外観形状を小型化することができ、しかも光ファイバ心線の配線形態が整理し易く、施工及び保守点検作業が容易となるスプリッタモジュールを提供する。【解決手段】光ファイバ心線を分配するスプリッタモジュール１０において、光ファイバ心線を分岐した各心線の余長部を円形状の心線ガイド部で許容曲率半径に確保して受ける心線受部１１と、心線受部１１で分岐した各心線を各光ソケットに接続するコネクタ収納部１２と、コネクタ収納部１２の開口部を覆う蓋体１３とを備え、心線受部１１とコネクタ収納部１２とを積重構造とし、コネクタ収納部１２には心線受部１１から掛け渡された各心線を挿通する開口部が設けられ、心線受部１１は、各心線の一群を心線受部１１の心線ガイド部の外周側に掛け渡し、かつ各心線の残りの一群を記心線受部１１の心線ガイド部にＳ字状に掛け渡して受け、各心線の端部をコネクタ収納部１１の各光ソケットにそれぞれ接続する。【選択図】  図１
2007121398.tif 000002
【特許請求の範囲】
【請求項１】
光ファイバ心線を分配するスプリッタモジュールにおいて、
光ファイバ心線を分岐した各心線の余長部を円形状の心線ガイド部で許容曲率半径に確保して受ける心線受部と、該心線受部で分岐した各心線を各光ソケットに接続するコネクタ収納部と、該コネクタ収納部の開口部を覆う蓋体とを備え、前記心線受部と該コネクタ収納部とを積重構造とし、該コネクタ収納部には前記心線受部から掛け渡された各心線を挿通する開口部が設けられており、前記心線受部は、前記各心線の一群を前記心線受部の心線ガイド部の外周側に掛け渡し、かつ前記各心線の残りの一群を前記心線受部の心線ガイド部にＳ字状に掛け渡して受け、各心線の端部を前記コネクタ収納部の各光ソケットに接続するようにしたことを特徴とするスプリッタモジュール。
【請求項２】
前記心線受部には前記円形状の第１と第２の心線ガイド部が設けられ、前記各心線の一群は該第１と第２の心線ガイド部の外周側に掛け渡すのに対し、前記Ｓ字状に掛け渡した他の一群の心線は、第１の心線ガイド部に掛け渡し第１と第２の該心線ガイド部間に挿通して第２の心線ガイド部から第１の心線ガイド部に掛け渡し、前記開口部に挿通して各心線の端部を前記光ソケットにそれぞれ接続することを特徴とする請求項１に記載のスプリッタモジュール。
【請求項３】
請求項１又は２に記載のスプリッタモジュールを取り付けるための嵩上げ台座を備えることを特徴とするスプリッタモジュール。
【発明の詳細な説明】
【技術分野】
【０００１】
本発明は、光ケーブルを分配するスプリッタモジュールに関し、詳しくは光ケーブルの余長部を収納して受ける心線受部を有し、心線受部に収納した各心線を分配してその端部を接続する光ソケットが設けられたコネクタ収納部とからなり、ケース構造と配線形態とにより外観形状を小型化したスプリッタモジュールに関するものである。
【背景技術】
【０００２】
従来、光通信ケーブルは、複数本の光ファイバ心線を収容した光ケーブルがビル等の建築物の管理室等に引き込まれ、分岐接続箱内にて光ケーブルを受け、分配光ケーブルを各サービスエリアに配線している。従来の分配光ケーブルは、図８に示したように、コネクタを介して一本の光ケーブルに接続可能なプラグ１に、２本の多心ケーブル２，３が分配された多心光ケーブルがそれぞれ被覆チューブにより被覆されて導出され、分離した多心ケーブル２，３の他端にプラグ２ａ，３ａが設けられている。このような分配光ケーブルによって、一本の光ケーブルを分配することができる。図８では、２分配光ケーブルであるが、４心テープ心線の場合、一本の光ケーブルを４分配することができる。（例えば、特許文献１参照）
【０００３】
【特許文献１】特開平１１−３３７７８５号公報（明細書段落〔００１１〕〜〔００１３〕，図面図１，図２等）
【発明の開示】
【発明が解決しようとする課題】
【０００４】
しかしながら、上記従来例の分配光ケーブルでは、集合住宅などの建築物に光通信ネットワークを構築しようとすると、サービスエリアが非常に多くなり、分岐接続箱に従来の分配光ケーブルを使用すると、分配光ケーブルの作業スペースや配線スペースを必要とするために形状が大きくなる欠点があった。また、分配光ケーブルは、被覆チューブで覆われており、直径が大きく、分岐接続箱の形状を大きくする必要があり、既設の建築物の管理室等にはスペース的に余裕がなく、設置が困難になる場合があり、管理室等に分岐接続箱を設置するには可能な限り小型であることが望ましく、従来の分配光ケーブルには改善の余地があった。また、多数の分岐光ファイバ心線を束ねて配線する場合、出力側の本数が増大して施工が困難であったり、保守点検が煩わしいといった欠点があった。
【０００５】
本発明は、上述のような課題に鑑みなされたものであり、外観形状を小型化することができ、しかも光ファイバ心線の配線形態が整理し易く、施工及び保守点検作業が容易となるスプリッタモジュールを提供することを目的とするものである。
【課題を解決するための手段】
【０００６】
本発明は、上記課題を解決したものであって、請求項１の発明は、光ファイバ心線を分配するスプリッタモジュールにおいて、
光ファイバ心線を分岐した各心線の余長部を円形状の心線ガイド部で許容曲率半径に確保して受ける心線受部と、該心線受部で分岐した各心線を各光ソケットに接続するコネクタ収納部と、該コネクタ収納部の開口部を覆う蓋体とを備え、前記心線受部と該コネクタ収納部とを積重構造とし、該コネクタ収納部には前記心線受部から掛け渡された各心線を挿通する開口部が設けられており、前記心線受部は、前記各心線の一群を前記心線受部の心線ガイド部の外周側に掛け渡し、かつ前記各心線の残りの一群を前記心線受部の心線ガイド部にＳ字状に掛け渡して受け、各心線の端部を前記コネクタ収納部の各光ソケットに接続するようにしたことを特徴とするスプリッタモジュールである。
【０００７】
また、請求項２の発明は、前記心線受部には前記円形状の第１と第２の心線ガイド部が設けられ、前記各心線の一群は該第１と第２の心線ガイド部の外周側に掛け渡すのに対し、前記Ｓ字状に掛け渡した他の一群の心線は、第１の心線ガイド部に掛け渡し第１と第２の該心線ガイド部間に挿通して第２の心線ガイド部から第１の心線ガイド部に掛け渡し、前記開口部に挿通して各心線の端部を前記光ソケットにそれぞれ接続することを特徴とする請求項１に記載のスプリッタモジュールである。
【０００８】
また、請求項３の発明は、請求項１又は２に記載のスプリッタモジュールを取り付けるための嵩上げ台座を設けたことを特徴とするスプリッタモジュールである。
【発明の効果】
【０００９】
請求項１の発明では、光ファイバ心線を分配するスプリッタモジュールにおいて、
光ファイバ心線を分岐した各心線の余長部を円形状の心線ガイド部で許容曲率半径に確保して受ける心線受部と、該心線受部で分岐した各心線を各光ソケットに接続するコネクタ収納部と、該コネクタ収納部の開口部を覆う蓋体とを備え、前記心線受部と該コネクタ収納部とを積重構造とし、該コネクタ収納部には前記心線受部から掛け渡された各心線を挿通する開口部が設けられており、前記心線受部は、前記各心線の一群を前記心線受部の心線ガイド部の外周側に掛け渡し、かつ前記各心線の残りの一群を前記心線受部の心線ガイド部にＳ字状に掛け渡して受け、各心線の端部を前記コネクタ収納部の各光ソケットに接続するようにしたことを特徴とするスプリッタモジュールであるので、各心線を配線する配線形態と、心線受部とコネクタ収納部との積重構造とによって、分岐配線部分を小型のケース内に収納することが可能である。このスプリッタモジュールは、局側から引き込まれる光ケーブルの中継点である分岐接続箱（以下、スプリッタ装置と称する）に組み込まれて使用され、スプリッタモジュール自体を小型にできるので、スプリッタ装置の形状も小型化することが可能である。また、分岐配線部分がモジュール化されており、配線作業が簡便になるとともに、断線等の異常が発生すれば、その箇所のスプリッタモジュールを交換するのみで保守点検が可能になり、施工及び保守点検の作業性が簡便になる利点がある。
【００１０】
また、請求項２の発明では、前記心線受部には前記円形状の第１と第２の心線ガイド部が設けられ、前記各心線の一群は該第１と第２の心線ガイド部の外周側に掛け渡すのに対し、前記Ｓ字状に掛け渡した他の一群の心線は、第１の心線ガイド部に掛け渡し第１と第２の該心線ガイド部間に挿通して第２の心線ガイド部から第１の心線ガイド部に掛け渡し、前記開口部に挿通して各心線の端部を前記光ソケットにそれぞれ接続することを特徴とする請求項１に記載のスプリッタモジュールであるので、心線の一方の群を順方向に、他方の群を逆方向に掛け渡して互いに異なる位置から心線を導出し、許容曲率半径の範囲内に曲げて各群の各心線を交差するように配線し、各心線の端部をコネクタ収納部に接続することができ、配線が占めるスペースを狭くすることが可能であり、スプリッタモジュールを小型化することができる利点がある。
【００１１】
また、請求項３の発明では、請求項１又は２に記載のスプリッタモジュールを取り付ける嵩上げ台座を備えることを特徴とするスプリッタモジュールであるので、スプリッタモジュールの光ソケットに外部コネクタが挿抜し易くなり、作業性が良好となる利点がある。
【発明を実施するための最良の形態】
【００１２】
以下、本発明に係るスプリッタモジュールについて、図面を参照して説明する。本発明のスプリッタモジュールは、光通信ネットワークにおける局側から光ケーブルを建築物内に引き込むスプリッタ装置や光ケーブルより直接スプリッタモジュールを介して分配する場合などに使用する。先ず、図面について説明すると、図１は本発明のスプリッタモジュールの一実施形態を示す斜視図であり、光ソケットは図示を省略した。図２は本実施形態のスプリッタモジュールであり、（ａ）はその正面図、（ｂ）はその下側面図、（ｃ）はそのコネクタ側の側面図、（ｄ）はそのＡ−Ａ矢視の要部断面図である。図３は本実施形態における心線受部であり、（ａ）はそのケース内面図、（ｂ）はそのＢ−Ｂ矢視の断面図、（ｃ）はその下側面図、（ｄ）はそのＣ−Ｃ矢視の要部断面図である。図４はコネクタ収納部であり、（ａ）はその内面図、（ｂ）は側面図、（ｃ）はコネクタ側の側面図、（ｄ）は下側面図、（ｅ）はＤ−Ｄ矢視の要部断面図、（ｄ）はＥ−Ｅ矢視の要部断面図である。図５は蓋体を示し、（ａ）は上面図、（ｂ）は側面図、（ｃ）はＦ−Ｆ矢視の要部断面図、（ｄ）は下側面図、（ｅ）はそのＧ−Ｇ矢視の要部断面図である。図６は嵩上げ台座部であり、（ａ）はその正面図、（ｂ）はその側面図、（ｃ）は下側側面図である。図７は本実施形態の心線の配線図であり、（ａ）は心線受部の配線図、（ｂ）はコネクタ収納部の配線図である。
【００１３】
本実施形態のスプリッタモジュールは、図１及び図２に示したように、その外観構造が箱形状であり、光コネクタ８が接続された光ケーブル９がスプリッタモジュール１０内に引き込まれており、この箱形状のスプリッタモジュール１０は、光ケーブルを分岐して受ける心線受部１１と、心線受部１１で受けた光ファイバ心線（以下、心線と略記する）を分岐した各心線の端部を各ソケットに接続するコネクタ収納部１２と、コネクタ収納部１２の開口部を覆う蓋体１３とを備え、スプリッタモジュール１０の底部に嵩上げ台座部１４が設けられる。コネクタ収納部１２には、光ソケット１６を装着するソケット装着部１５が設けられている。光ソケット１６には、光ケーブル１８の端部に設けられた外部コネクタ１７が挿入され、光アクセス部等に接続されて光通信の各サービスエリアへと配線されている。
【００１４】
心線受部１１は、図３に示したように、ケース構造であり、ケース長手側壁部に光ケーブルの引き込み口１１ａが設けられ、ケース内底面には光ケーブルを案内するガイド溝１１ｂが設けられ、ガイド溝１１ｂに光ケーブルを固定して分配する分岐部１１ｃが設けられ、さらに、円形状の心線ガイド部１１ｄと１１ｅが設けられており、ケース長手側壁部の中央より舌片１１ｇが設けられ、舌片１１ｇと対面するガイド溝１１ｂの側壁部に舌片１１ｆが突出しており、これら舌片１１ｇ，１１ｆは心線が散乱するのを防止するためのものである。また、ケース構造の心線受部１１を他のケースと組み合わせるための係合突起１１ｈが四箇所設けられている。１１ｉはスプリッタモジュール１０を嵩上げ台座部１４に固定するための取付孔である。なお、スプリッタモジュール１０は嵩上げ台座部１４を使用しない場合もある。
【００１５】
コネクタ収納部１２は、図４に示したように、ケース構造であり、各心線が接続されるソケット装着部１５が設けられ、各ソケット装着部１５には開口部１２ａが設けられている。ケース中央部には、貫通孔が設けられた支柱１２ｂが２箇所設けられ、ソケット装着部１５とは反対側には心線を挿通する開口部１２ｃが設けられている。このケースの底面部には、心線受部１１を構成するケースに組合わせるための係合部１２ｄが４箇所設けられている。なお、この実施形態では、一例として分岐心線として４心テープ心線が２本使用されており、ソケット装着部１５が８箇所設けられている。また、コネクタ収納部１２の上下側壁部に係合部１２ｅがそれぞれ設けられている。また、このソケット装着部１５には光ソケット１６が設けられ、光ソケット１６に光ケーブル１８が接続された外部コネクタ１７が装着される。
【００１６】
蓋体１３は、図５に示したように、コネクタ収納部１２のケース開口部を覆うものであり、光ソケット１６を固定するための開口部１３ａが８箇所設けられ、スプリタモジュル１０を嵩上げ台座１４に取り付けるための貫通孔１３ｂが設けられている。また、蓋体１３の上下側部には係止部１３ｃが設けられ、係止部１３ｃはコネクタ収納部１２のケースの係合部１２ｅに噛み合うように設けられている。蓋体１３は、コネクタ収納部１２のソケット装着部１５に光ソケット１６を装着して閉じられることにより、光ソケット１６の上下に設けた突起がソケット装着部１５の開口部１２ａと蓋体１３に設けた貫通孔１３ｂとに係合し、光ソケット１６はソケット装着部１５に装着される。
【００１７】
スプリッタモジュール１０は、上記心線受部１１とコネクタ収納部１２と蓋体１３とを積み重ねることにより一つの箱形状となる。この箱形状のスプリッタモジュール１０の底部には、嵩上げ台座１４が上記コネクタ収納部１２の取付孔１１ｉと蓋体１３の貫通孔１３ｂにボルトを挿通し、嵩上げ台座１４の貫通孔１４ａに挿通してナットで緊縮することによって、スプリッタモジュール１０が嵩上げ台座１４に取り付けられる。また、嵩上げ台座１４の１４ｂはスプリッタ装置の台座に固定するための貫通孔であり、スプリッタモジュール１０が小型化されたとしても嵩上げ台座１４にスプリッタモジュール１０を取り付けることによって、コネクタ装着口が嵩上げされ、光ソケット１６からコネクタを挿抜するのが容易になり、施工や調整又は点検時の作業性が向上する。
【００１８】
続いて、本実施形態の配線形態について図７を参照して説明する。１心の光ケーブルが心線受部１１の引き込み口１１ａから引き込まれてガイド溝１１ｂに導かれ、分岐部１１ｃにて２本の４心テープ心線Ｔ１，Ｔ２に分岐される。分岐したテープ心線Ｔ１，Ｔ２は心線受部１１内の心線ガイド部１１ｄと１１ｅとによりテープ心線Ｔ１，Ｔ２の余長部分を許容曲率半径でループ状又はＳ字状に捲回し、さらにテープ心線Ｔ１，Ｔ２を細分化した各心線Ｔ１１  〜Ｔ１４  ，Ｔ２１  〜Ｔ２４  をコネクタ収納部１２の開口部１２ｃを通し、許容曲率半径の範囲で曲げてそれぞれ光ソケット１６に接続されている。
【００１９】
上記ループ状とは、ガイド溝１１ｂに導かれたテープ心線Ｔ１（心線Ｔ１１  〜Ｔ１４  ）を心線ガイド部１１ｄ，１１ｅの外周に掛け渡す配線形態を示し、Ｓ字状とは、ガイド溝１１ｂに導かれたテープ心線Ｔ２（心線Ｔ２１  〜Ｔ２４  ）を心線ガイド部１１ｄの掛け渡して心線ガイド部１１ｄと心線ガイド部１１ｅとの間を通過させ、心線ガイド部１１ｅから心線ガイド部１１ｄへと掛け渡し、コネクタ収納部１２の開口部１２ｃから導出する配線形態である。
【００２０】
この配線形態は、テープ心線Ｔ１を順方向にターンさせるのに対し、テープ心線Ｔ２を逆方向にターンさせて、コネクタ収納部１２の開口部１２ｃの異なった位置からコネクタ収納部１２内へと導出させて、テープ心線Ｔ１，Ｔ２の各心線（Ｔ１１  〜Ｔ１４  ）の一群と各心線（Ｔ２１  〜Ｔ２４  ）の一群が交差するように曲線を描いて各心線の端部を各光ソケット１６に接続することができる。このような配線形態とすることによって、配線に要するスペースが増大するのを防止することができる。
【００２１】
本実施形態のスプリッタモジュールは、光ケーブルを光通信のサービスエリアに配線するスプリッタ装置に組み込まれて使用される。なお、本実施形態において、分岐心線として４心のテ−プ心線を例示して説明したが、５心，８心の場合であっても本発明の技術的思想を適応することができるし、テ−プ心線以外の光ファイバ心線であってよいことは明らかである。
【００２２】
上述のように、本実施形態では、各テープ心線を順方向ターンと逆方向ターンに捲き回して配線形態をコンパクトにまとめ、かつ心線受部とコネクタ収納部とを積み重ね構造とすることによって、スプリッタモジュールの外観形状を小型化することができるのみならず、各心線の区別が容易になり、作業性が良好になる。
【産業上の利用可能性】
【００２３】
本発明の活用例としては、光通信における光ケーブルの中継点のスプリッタ装置に組み込むことができる。
【図面の簡単な説明】
【００２４】
【図１】本発明のスプリッタモジュールの一実施形態を示す斜視図であり、光ソケットは図示を省略した。
【図２】（ａ）は本実施形態のスプリッタモジュールの正面図、（ｂ）はその下側面図、（ｃ）はそのコネクタ側の側面図、（ｄ）はそのＡ−Ａ矢視の要部断面図である。
【図３】（ａ）は本実施形態における心線受部のケース内面図、（ｂ）はそのＢ−Ｂ矢視の断面図、（ｃ）その下側面図、（ｄ）はそのＣ−Ｃ矢視の要部断面図である。
【図４】（ａ）は本実施形態のコネクタ収納部の内面図、（ｂ）はその側面図、（ｃ）はコネクタ側の側面図、（ｄ）はその下側面図、（ｅ）はそのＤ−Ｄ矢視の要部断面図、（ｄ）はそのＥ−Ｅ矢視の要部断面図である。
【図５】（ａ）は本実施形態の蓋体の上面図、（ｂ）はその側面図、（ｃ）はそのＦ−Ｆ矢視の要部断面図、（ｄ）はその下側面図、（ｅ）はそのＧ−Ｇ矢視の要部断面図である。
【図６】（ａ）は本実施形態の嵩上げ台座部の正面図、（ｂ）はその側面図、（ｃ）はその下側側面図である。
【図７】（ａ）は本実施形態の心線の配線図、（ｂ）はコネクタ収納部の配線図である。
【図８】従来の分配光ケーブルを示す図である。
【符号の説明】
【００２５】
１０  コネクタ収納ケース
１１  心線受部
１１ａ  引き込み口
１１ｂ  ガイド溝
１１ｃ  分岐部
１１ｄ，１１ｅ  心線ガイド部
１１ｇ，１１ｆ  舌片
１１ｉ  取付孔
１２  コネクタ収納部
１２ａ  開口部
１２ｂ  支柱
１２ｃ  開口部
１２ｄ  係合部
１３  蓋体
１３ａ  開口部
１３ｂ  貫通孔
１３ｃ  係止部
１４  嵩上げ台座
１５  ソケット装着部
１６  光ソケット
１６ａ  係合孔
１７  コネクタ
１８  光ケーブル
Ｔ１，Ｔ２  テープ心線
Ｔ１１  〜Ｔ１４  ，Ｔ２１  〜Ｔ２４  心線（光ファイバ心線）
【図１】
2007121398.tif 000003
【図２】
2007121398.tif 000004
【図３】
2007121398.tif 000005
【図４】
2007121398.tif 000006
【図５】
2007121398.tif 000007
【図６】
2007121398.tif 000008
【図７】
2007121398.tif 000009
【図８】
2007121398.tif 000010